(57)【要約】【課題】  ランプの稼働状態をより把握しやすく提示することが可能なプロジェクタ等を提供すること。【解決手段】  プロジェクタ１００が、ランプ１４０の稼働状態に応じて前記稼働状態に関する累積点灯時間データ１２３を生成するデータ生成部１３０と、累積点灯時間データ１２３に基づき、前記稼働状態を示す状態画像を生成する画像生成部画像生成部１１２と、ランプ１４０の点灯開始時にランプ１４０の光を用いて前記状態画像を投写する投写部１９０を含んで構成される。【選択図】      図１
2009053321.tif 000002
【特許請求の範囲】
【請求項１】
ランプの稼働状態に応じて前記稼働状態に関する稼働データを生成するデータ生成部と、
前記稼働データに基づき、前記稼働状態を示す状態画像を生成する画像生成部と、
前記ランプの点灯開始時に前記ランプの光を用いて前記状態画像を投写する投写部と、
を含むことを特徴とするプロジェクタ。
【請求項２】
請求項１に記載のプロジェクタにおいて、
前記稼働データは、前記ランプの累積点灯時間を示す累積点灯時間データを含み、
前記画像生成部は、前記累積点灯時間データに基づき、前記状態画像として、前記累積点灯時間を数値および図形の少なくとも一方で示す画像を生成することを特徴とするプロジェクタ。
【請求項３】
請求項１に記載のプロジェクタにおいて、
前記稼働データは、前記ランプの電圧を示す電圧データを含み、
前記画像生成部は、前記電圧データに基づき、前記状態画像として、前記電圧を数値および図形の少なくとも一方で示す画像を生成することを特徴とするプロジェクタ。
【請求項４】
請求項３に記載のプロジェクタにおいて、
前記稼働データを記憶する記憶部を含み、
前記データ生成部は、前記ランプの輝度が安定した状態で前記電圧データを前記記憶部に生成することを特徴とするプロジェクタ。
【請求項５】
請求項１に記載のプロジェクタにおいて、
前記画像生成部は、前記ランプの寿命を示すランプ寿命データと、前記稼働データとに基づき、前記状態画像として、稼働可能な残り時間を数値および図形の少なくとも一方で示す画像を生成することを特徴とするプロジェクタ。
【請求項６】
請求項５に記載のプロジェクタにおいて、
前記画像生成部は、前記残り時間が所定時間未満の場合、前記状態画像の一部または全部として、警告画像を生成することを特徴とするプロジェクタ。
【請求項７】
請求項５、６のいずれかに記載のプロジェクタにおいて、
前記画像生成部は、使用中の表示モードを示すモードデータと、前記ランプの寿命を示すランプ寿命データと、前記稼働データとに基づき、前記表示モードに応じて前記残り時間を調整することを特徴とするプロジェクタ。
【請求項８】
投写型表示装置による投写方法であって、
前記投写型表示装置は、
ランプの稼働状態に応じて前記稼働状態に関する稼働データを生成し、
前記稼働データに基づき、前記稼働状態を示す状態画像を生成し、
前記ランプの点灯開始時に前記ランプの光を用いて前記状態画像を投写することを特徴とする投写方法。
【発明の詳細な説明】
【技術分野】
【０００１】
本発明は、プロジェクタおよび投写方法に関する。
【背景技術】
【０００２】
従来、プロジェクタのランプの累積点灯時間を確認するためには、ユーザーは、プロジェクタの環境設定メニュー等を選択して累積点灯時間を示す画像を表示しなければならなかった。このように、累積点灯時間の確認には手間がかかるため、ユーザーは累積点灯時間を確認しないことが多かった。
【０００３】
また、プロジェクタのランプの寿命（最大使用可能時間）が近づいた場合にプロジェクタのＬＥＤ等を点灯して警告する手法を採用したプロジェクタも販売されている。しかし、この手法では、ユーザーは、ランプが寿命切れの直前であることを把握できるのみであり、累積点灯時間を確認することはできない。
【０００４】
また、別の手法として、例えば、特開平１０−１８７０８６号公報では、表示素子ごとの点灯時間を表示素子とは異なる表示部が表示する手法が採用されている。
【特許文献１】特開平１０−１８７０８６号公報
【発明の開示】
【発明が解決しようとする課題】
【０００５】
しかし、点灯時間を表示するためだけに通常の表示部と異なる表示部を設けることはコスト面で問題がある上、ユーザーも点灯時間を確認しづらい。特に、プロジェクタの場合、天吊り形態で用いられる場合もあり、天吊り形態の場合、プロジェクタ本体に設けられた点灯時間表示部やＬＥＤをユーザーが確認することは困難である。
【０００６】
さらに、プロジェクタの場合、一般的な表示装置とは異なり、映画、テレビ放送等のコンテンツに応じた表示モードが設けられている。例えば、同じ累積点灯時間であっても、高輝度モードの場合は低輝度モードの場合と比べてランプが寿命切れになる時間はより短くなる。このように、プロジェクタは、表示モードに応じてランプの稼働状態を適切に表示する必要がある。
【０００７】
本発明の目的は、ランプの稼働状態をより把握しやすく提示することが可能なプロジェクタおよび投写方法を提供することにある。
【課題を解決するための手段】
【０００８】
上記課題を解決するため、本発明に係るプロジェクタは、ランプの稼働状態に応じて前記稼働状態に関する稼働データを生成するデータ生成部と、前記稼働データに基づき、前記稼働状態を示す状態画像を生成する画像生成部と、前記ランプの点灯開始時に前記ランプの光を用いて前記状態画像を投写する投写部と、を含むことを特徴とする。
【０００９】
また、本発明に係る投写方法は、投写型表示装置による投写方法であって、前記投写型表示装置は、ランプの稼働状態に応じて前記稼働状態に関する稼働データを生成し、前記稼働データに基づき、前記稼働状態を示す状態画像を生成し、前記ランプの点灯開始時に前記ランプの光を用いて前記状態画像を投写することを特徴とする。
【００１０】
本発明によれば、プロジェクタ等は、ランプの点灯開始時にランプの稼働状態を示す状態画像を投写することにより、ランプの稼働状態をより把握しやすく提示することができる。
【００１１】
また、前記稼働データは、前記ランプの累積点灯時間を示す累積点灯時間データを含み、前記画像生成部は、前記累積点灯時間データに基づき、前記状態画像として、前記累積点灯時間を数値および図形の少なくとも一方で示す画像を生成してもよい。
【００１２】
これによれば、プロジェクタ等は、ランプの累積点灯時間をより把握しやすく提示することができる。
【００１３】
また、前記稼働データは、前記ランプの電圧を示す電圧データを含み、前記画像生成部は、前記電圧データに基づき、前記状態画像として、前記電圧を数値および図形の少なくとも一方で示す画像を生成してもよい。
【００１４】
これによれば、プロジェクタ等は、ランプの電圧をより把握しやすく提示することができる。これにより、ユーザーは、ランプの劣化を把握することができる。
【００１５】
また、前記プロジェクタは、前記稼働データを記憶する記憶部を含み、前記データ生成部は、前記ランプの輝度が安定した状態で前記電圧データを前記記憶部に生成してもよい。
【００１６】
これによれば、プロジェクタ等は、ランプの輝度が安定した状態の電圧データを記憶することにより、ランプの劣化をより正確に提示することができる。
【００１７】
また、前記画像生成部は、前記ランプの寿命を示すランプ寿命データと、前記稼働データとに基づき、前記状態画像として、稼働可能な残り時間を数値および図形の少なくとも一方で示す画像を生成してもよい。
【００１８】
これによれば、プロジェクタ等は、稼働可能な残り時間をよりわかりやすく提示することができる。
【００１９】
また、前記画像生成部は、前記残り時間が所定時間未満の場合、前記状態画像の一部または全部として、警告画像を生成してもよい。
【００２０】
これによれば、プロジェクタ等は、稼働可能な残り時間が少なくなったことをユーザーにわかりやすく提示することができる。
【００２１】
また、前記画像生成部は、使用中の表示モードを示すモードデータと、前記ランプの寿命を示すランプ寿命データと、前記稼働データとに基づき、前記表示モードに応じて前記残り時間を調整してもよい。
【００２２】
これによれば、プロジェクタ等は、表示モードに応じて残り時間を調整することにより、稼働可能な残り時間をより正確にユーザーに提示することができる。
【発明を実施するための最良の形態】
【００２３】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２４】
（第１の実施例）
まず、第１の実施例として、プロジェクタが、ランプの点灯開始時にランプの累積点灯時間に応じてランプの稼働状態を示す状態画像を投写する実施例について説明する。
【００２５】
図１は、第１の実施例におけるプロジェクタ１００の機能ブロック図である。投写型表示装置の一種であるプロジェクタ１００は、光源の一種であるランプ１４０と、ランプ１４０を駆動するランプ駆動部１５０と、ランプ１４０の稼働状態に応じて稼働状態に関する稼働データ等を生成するデータ生成部１３０と、稼働データ等を記憶する記憶部１２０と、稼働データ等に基づき、稼働状態を示す状態画像等を生成する画像生成部１１０と、ランプ１４０の光を用いて状態画像等を投写する投写部１９０を含んで構成されている。
【００２６】
また、記憶部１２０は、稼働データの一種であるランプの累積点灯時間を示す累積点灯時間データ１２３、ランプの寿命を示すランプ寿命データ１２５等を記憶している。
【００２７】
なお、これらの各部を実装するためのハードウェアとしては以下のものが採用されてもよい。例えば、画像生成部１１０としては画像処理回路等、記憶部１２０としては不揮発性メモリ等、データ生成部１３０としてはＣＰＵ等、ランプ１４０としては超高圧水銀ランプ等、ランプ駆動部１５０としてはバラスト、ＣＰＵ等、投写部１９０としては液晶パネル、液晶駆動回路、投写レンズ等が採用されてもよい。
【００２８】
次に、状態画像の投写手順について説明する。図２は、第１の実施例における状態画像の投写手順を示すフローチャートである。
【００２９】
ランプ駆動部１５０は、ユーザーの操作等に応じてランプ１４０の駆動を開始し、ランプ１４０は点灯を開始する（ステップＳ１）。なお、ランプ１４０は、超高圧水銀ランプ等の点灯完了（所望の輝度になった状態）までに時間のかかるランプである。
【００３０】
ランプ１４０の点灯開始と同時に、画像生成部１１０は、累積点灯時間データ１２３とランプ寿命データ１２５を参照して状態画像を生成し、投写部１９０は、ランプ１４０からの光を光源として当該状態画像を投写する（ステップＳ２）。
【００３１】
図３は、第１の実施例における状態画像３００の一例を示す図である。例えば、ランプ寿命データ１２５でランプ寿命が４０００時間であることが示され、累積点灯時間データ１２３で累積点灯時間が２４００時間であることが示されている場合、画像生成部１１０は、これらの数値を示す画像と、ランプ寿命に対する累積点灯時間の割合を図形化した画像を含む状態画像３００を生成する。また、図３に示すようにこれらの画像は、ランプ１４０の輝度が十分でない場合であっても視認しやすいように、画像全体に占める割合が大きい状態（例えば、大きな文字、大きな図形等）で表示される。
【００３２】
画像生成部１１０は、ランプ１４０の輝度が所望の輝度になった場合（または所望の輝度になると予測される時間が経過した場合）、状態画像３００に代えて通常画像（例えば、入力画像信号に基づく画像等）を生成し、投写部１９０は、通常画像を投写する（ステップＳ３）。
【００３３】
データ生成部１３０は、例えば、一定時間ごとに累積点灯時間データ１２３を更新する（ステップＳ４）。
【００３４】
プロジェクタ１００は、ユーザーから終了指示があるかどうかを判定し（ステップＳ５）、終了指示があった場合は処理（ステップＳ３〜Ｓ５）を終了し、終了指示がない場合は当該処理を続行する。
【００３５】
以上のように、本実施例によれば、プロジェクタ１００は、ランプ１４０の点灯開始時にランプ１４０の稼働状態を示す状態画像３００を投写することにより、ランプ１４０の累積点灯時間をより把握しやすく提示することができる。特に、プロジェクタ１００は、図３に示すように、大きな文字および大きな図形で投写することにより、点灯開始直後の状態画像３００が暗い状態であっても、ユーザーは累積点灯時間を視認しやすい。
【００３６】
また、本実施例によれば、プロジェクタ１００は、起動する度に状態画像３００を投写することにより、ユーザーは、ランプ１４０の稼働状態をより高い頻度で把握することができるため、ランプ１４０を適切なタイミングで交換することができ、プロジェクタ１００を連続的に使用しやすくなる。
【００３７】
また、本実施例によれば、プロジェクタ１００は、プロジェクタ１００の本体に設けられた表示部ではなく、投写する状態画像３００にランプ１４０の累積点灯時間を表示することにより、ユーザーは、プロジェクタ１００から離れた位置にいる場合であっても、ランプ１４０の累積点灯時間を容易に把握することができる。
【００３８】
（第２の実施例）
次に、第２の実施例として、プロジェクタが、ランプの点灯開始時にランプの電圧に応じて状態画像を投写する実施例について説明する。
【００３９】
図４は、第２の実施例におけるプロジェクタ１０１の機能ブロック図である。プロジェクタ１０１は、累積点灯時間データ１２３に代えて電圧データ１２４を記憶する記憶部１２１と、累積点灯時間データ１２３に代えて電圧データ１２４を生成するデータ生成部１３１と、累積点灯時間に代えてランプ１４０の電圧に関する状態画像を生成する画像生成部１１１を含んで構成されている。なお、その他の構成は第１の実施例と同様であるため、説明を省略する。
【００４０】
次に、状態画像の投写手順について説明する。図５は、第２の実施例における状態画像の投写手順を示すフローチャートである。
【００４１】
ランプ駆動部１５０は、ユーザーの操作等に応じてランプ１４０の駆動を開始し、ランプ１４０は点灯を開始する（ステップＳ１１）。ランプ１４０の点灯開始と同時に、画像生成部１１１は、電圧データ１２４とランプ寿命データ１２５を参照して状態画像を生成し、投写部１９０は、ランプ１４０からの光を光源として当該状態画像を投写する（ステップＳ１２）。
【００４２】
図６は、第２の実施例における状態画像３０１の一例を示す図である。例えば、ランプ寿命データ１２５でランプ寿命が１３０Ｖであることが示され、電圧データ１２４でランプ１４０の電圧が１１５Ｖであることが示されている場合、画像生成部１１１は、これらの数値を示す画像と、ランプ寿命に対する現在の電圧の割合を図形化した画像を含む状態画像３０１を生成する。なお、本実施例では、ランプ１４０は、稼働時間が長くなるほど定常時の電圧が上がり、１３０Ｖが限界であるものとする。
【００４３】
画像生成部１１１は、ランプ１４０の輝度が所望の輝度になった場合（または所望の輝度になると予測される時間が経過した場合）、状態画像３０１に代えて通常画像を生成し、投写部１９０は、通常画像を投写する（ステップＳ１３）。
【００４４】
プロジェクタ１００は、ユーザーから終了指示があるかどうかを判定し（ステップＳ１４）、終了指示があった場合は処理（ステップＳ１３、Ｓ１４）を終了し、終了指示がない場合は当該処理を続行する。
【００４５】
また、終了指示があった場合、データ生成部１３１は、ランプ駆動部１５０から当該時点におけるランプ１４０の電圧を示す情報を取得し、当該情報に基づいてランプ１４０の電圧を示す電圧データ１２４を更新する（ステップＳ１５）。
【００４６】
以上のように、本実施例によれば、プロジェクタ１０１は、ランプ１４０の電圧をより把握しやすく提示することができる。これにより、ユーザーは、ランプ１４０の劣化を把握することができる。特に、累積点灯時間は同じ累積点灯時間であっても使用する表示モードによって実際のランプ１４０の寿命が異なる場合も考えられるが、ランプ１４０の電圧の場合は実際のランプ１４０の劣化の状態を適切に表すことができる。
【００４７】
また、プロジェクタ１０１は、終了指示時等のランプ１４０の輝度が安定した状態（すなわち、ステップＳ１５の処理はステップＳ１３の処理の前または後に実行されてもよい。）で電圧データ１２４を記憶部１２１に記憶することにより、ランプ１４０の劣化をより正確に提示することができる。
【００４８】
（第３の実施例）
次に、第３の実施例として、プロジェクタが、ランプの点灯開始時にランプの累積点灯時間を表示モードに応じて調整して状態画像を投写する実施例について説明する。
【００４９】
図７は、第３の実施例におけるプロジェクタ１０２の機能ブロック図である。プロジェクタ１０２は、累積点灯時間データ１２３、ランプ寿命データ１２５、使用中の表示モード、表示モードに対応する係数等を示すモードデータ１２６等を記憶する記憶部１２２と、表示モードに応じた状態画像等を生成する画像生成部１１２と、モードデータ１２６等を更新するデータ生成部１３２を含んで構成されている。なお、プロジェクタ１０２は、投写部１９０、ランプ１４０、ランプ駆動部１５０等も有しているが、これらの構成は第１の実施例と同様であるため、説明を省略する。
【００５０】
次に、状態画像の投写手順について説明する。図８は、第３の実施例における状態画像の投写手順を示すフローチャートである。
【００５１】
ランプ駆動部１５０は、ユーザーの操作等に応じてランプ１４０の駆動を開始し、ランプ１４０は点灯を開始する（ステップＳ２１）。また、ランプ１４０の点灯開始と同時に、画像生成部１１２は、累積点灯時間データ１２３、ランプ寿命データ１２５、モードデータ１２６を参照して状態画像を生成し、投写部１９０は、ランプ１４０からの光を光源として当該状態画像を投写する（ステップＳ２２）。
【００５２】
図９は、第３の実施例における状態画像３０２の一例を示す図である。例えば、表示モードとして、通常モード、通常モードよりも高輝度で表示することを示す高輝度モード、通常モードよりも低輝度で表示することを示す低輝度モードがあるものとする。モードデータ１２６では、通常モードの場合の係数が１．０、高輝度モードの場合の係数が１．１、低輝度モードの場合の係数が０．９であることを示し、現在の表示モードが高輝度モードであることを示すものとする。また、累積点灯時間データ１２３で示される累積点灯時間が２４００時間、ランプ寿命データ１２５で示される使用可能時間が４０００時間であるものとする。
【００５３】
この場合、画像生成部１１２は、４０００−２４００×１．１を演算することにより、残りの使用可能時間１３６０を求め、図９に示す「残り１３６０時間使用可能です。」といった残り時間を示す画像を含む状態画像３０２を生成する。すなわち、画像生成部１１２は、表示モードに応じて累積点灯時間または残り時間を調整する。
【００５４】
画像生成部１１２は、ランプ１４０の輝度が所望の輝度になった場合（または所望の輝度になると予測される時間が経過した場合）、状態画像３０２に代えて通常画像を生成し、投写部１９０は、通常画像を投写する（ステップＳ２３）。
【００５５】
データ生成部１３２は、例えば、一定時間ごとに累積点灯時間データ１２３を更新する（ステップＳ２４）。プロジェクタ１００は、ユーザーから終了指示があるかどうかを判定する（ステップＳ２５）。
【００５６】
また、データ生成部１３２は、ユーザーによる表示モード変更指示があるかどうかを判定し（ステップＳ２６）、表示モード変更指示があった場合はモードデータ１２６を更新する（ステップＳ２７）。例えば、ユーザーが低輝度モードを選択した場合、データ生成部１３２は、使用中の表示モードが低輝度モードであることを示すように、モードデータ１２６を更新する。
【００５７】
プロジェクタ１００は、終了指示があった場合は処理（ステップＳ２３〜Ｓ２７）を終了し、終了指示がない場合は当該処理を続行する。
【００５８】
以上のように、本実施例によれば、プロジェクタ１０２は、状態画像３０２を投写することにより、稼働可能な残り時間をよりわかりやすく提示することができる。
【００５９】
また、本実施例によれば、プロジェクタ１０２は、表示モードに応じて残り時間を調整することにより、稼働可能な残り時間をより正確にユーザーに提示することができる。
【００６０】
（その他の実施例）
なお、本発明の適用は上述した実施例に限定されず、種々の変形が可能である。例えば、プロジェクタ１０２は、ランプ１４０の使用可能時間が所定時間（例えば、１００時間等）未満になった場合に警告画像を投写してもよい。
【００６１】
図１０は、警告画像を含む状態画像３０３の一例を示す図である。例えば、画像生成部１１２は、ランプ１４０の使用可能時間が１００時間未満になったかどうかを判定し、１００時間未満になった場合、状態画像３０３の一部または全部として、警告画像を生成してもよい。例えば、画像生成部１１２は、状態画像３０３の背景として赤色等で表示される警告画像を生成してもよい。
【００６２】
これによれば、プロジェクタ１０２は、稼働可能な残り時間が少なくなったことをユーザーによりわかりやすく提示することができる。
【００６３】
また、データ生成部１３２は、累積点灯時間データ１２３を更新する際に、使用中の表示モードに応じて累積点灯時間データ１２３を更新し、画像生成部１１２は、モードデータ１２６を用いずに累積点灯時間データ１２３とランプ寿命データ１２５を用いて状態画像３０２を生成してもよい。例えば、高輝度モードである場合、データ生成部１３２は、１時間経過する度に１時間×高輝度モードの係数１．１を演算して累積点灯時間に１．１を加えてもよい。
【００６４】
これによれば、プロジェクタ１０２は、より正確に累積点灯時間を更新し、より正確にランプ１４０の状態を提示することができる。
【００６５】
また、状態画像３００〜３０２は、数値と図形を両方含む画像であるが、数値のみの画像であってもよいし、図形のみの画像であってもよい。また、状態画像３００〜３０２の図形の形状は棒グラフになっているが、円グラフ、折れ線グラフ等の形状であってもよい。
【００６６】
また、プロジェクタ１００〜１０２は、状態画像３００〜３０３を投写するかどうかをユーザーに選択させ、状態画像３００〜３０３の投写有無を示すデータを記憶部１２０〜１２２に記憶し、状態画像３００〜３０３を投写しない設定になっている場合は起動時に状態画像３００〜３０３を投写しなくてもよい。また、プロジェクタ１００〜１０２は、起動時に毎回投写するのではなく、起動回数が複数回に１回の割合で状態画像３００〜３０３を投写したり、累積点灯時間が定められた時間を経過する度に状態画像３００〜３０３を投写したり、一定時間ごとに状態画像３００〜３０３を投写したりしてもよい。
【００６７】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【００６８】
また、プロジェクタ１００以外の投写型表示装置（例えば、プロジェクションテレビ等）に本発明を適用してもよい。
【図面の簡単な説明】
【００６９】
【図１】第１の実施例におけるプロジェクタの機能ブロック図である。
【図２】第１の実施例における状態画像の投写手順を示すフローチャートである。
【図３】第１の実施例における状態画像の一例を示す図である。
【図４】第２の実施例におけるプロジェクタの機能ブロック図である。
【図５】第２の実施例における状態画像の投写手順を示すフローチャートである。
【図６】第２の実施例における状態画像の一例を示す図である。
【図７】第３の実施例におけるプロジェクタの機能ブロック図である。
【図８】第３の実施例における状態画像の投写手順を示すフローチャートである。
【図９】第３の実施例における状態画像の一例を示す図である。
【図１０】警告画像を含む状態画像の一例を示す図である。
【符号の説明】
【００７０】
１００〜１０２  プロジェクタ（投写型表示装置）、１１０〜１１２  画像生成部、１２０〜１２２  記憶部、１２３  累積点灯時間データ、１２４  電圧データ、１２５  ランプ寿命データ、１２６  モードデータ、１３０〜１３２  データ生成部、１４０  ランプ、１５０  ランプ駆動部、１９０  投写部、３００〜３０２  状態画像
【図１】
2009053321.tif 000003
【図２】
2009053321.tif 000004
【図３】
2009053321.tif 000005
【図４】
2009053321.tif 000006
【図５】
2009053321.tif 000007
【図６】
2009053321.tif 000008
【図７】
2009053321.tif 000009
【図８】
2009053321.tif 000010
【図９】
2009053321.tif 000011
【図１０】
2009053321.tif 000012